(57)【要約】【課題】本発明は、自然通気形開放式石油ストーブの暖房装置の効率を高める装置に関するものである。【解決手段】自然通気形開放式石油ストーブにおいて、暖房中に熱移送筒として直径１０ｃｍ前後、長さ３ｍ前後で耐熱用の伸縮及び曲折自在の可変体蛇腹状の筒を使用して、電動ファンの作動により、当該ストーブから取り出した熱を、温度調節弁又は、温度調節口で、温度や熱量を調節して熱出口より取り出し、当該熱を、こたつや、その他の暖房用として使用可能な、熱取り出し移送装置。【選択図】      図１
2004316977.tif 000002
【特許請求の範囲】
【請求項１】
自然通気形開放式石油ストーブにおいて、暖房中に熱を取り出すために、熱移送用筒を使用する。前記熱移送用筒には、集熱部、熱取り入れ口、温度調節弁、温度調節口、電動ファン、熱出口、及び固定具を備え、熱出口より取出した熱を、こたつや、その他の暖房用に使用可能なことを特徴とする、熱取り出し移送装置。
【発明の詳細な説明】
【０００１】
【発明が属する技術分野】
本発明は家庭内の暖房装置に関する。
【０００２】
【従来の技術】
自然通気形開放式石油ストーブは、家庭の暖房はもとより災害等の停電時でも手軽に使え、また古来より当該ストーブの上方部からの熱を湯沸しなどに利用するなど、大変重宝である。しかし、当該ストーブによる暖房は、天井付近が温かくなるなど居場所によっては室内の全員が一様に温まることは困難であり、こたつや、電気カーペット等の暖房器具との併用がみられる。
【０００３】
【発明が解決しようとする課題】
そこで本発明は、自然通気形開放式石油ストーブにおいて、利点を生かし暖房中に熱を取り出して、こたつや、その他の暖房用に利用することで、その欠点を補うものである。
【０００４】
【課題を解決するための手段】
自然通気形開放式石油ストーブにおいて、暖房中に熱移送筒を使用して、電動ファンの作動により、当該ストーブから取り出した熱を、温度調節弁又は、温度調節口で、温度や熱量を調節して熱出口より取り出し、当該熱を、こたつや、その他の暖房用として提供することで、上記課題を解決するものである。
【０００５】
【発明の実施の形態】
本発明は、熱移送筒に、集熱部２、熱取り入れ口３、温度調節弁４、温度調節口５、電動ファン６、熱出口７及び固定具９を装着し、自然通気形開放式ストーブ１の暖房中に当該ストーブの上方部から熱を取り出すことで実現した。
【０００６】
【実施例】
本発明の熱取り出し移送装置は、図１、図２に示されるように、自然通気形開放式石油ストーブ１の上方部より、暖房中に熱を取り出すために、熱移送筒８として直径１０ｃｍ前後、長さ３ｍ前後で耐熱用の伸縮及び曲折自在の可変体蛇腹状の筒を使用、当該筒を固定具９で固定し、電動ファン６の作動により、集熱部２で集熱した熱を、熱取り入れ口３から取り入れ、温度調節弁４又は、温度調節口５で温度や熱量を調節して、熱出口７よりこたつ内の任意の場所に取り出す。熱源は温風なので、こたつ内全体が温かである。熱出口７の過熱防止のため、電動ファン６は温度制御付きを使用する。
【０００７】
【発明の効果】
本発明は、自然通気形開放式石油ストーブの暖房とあわせて熱の有効利用により、こたつや、その他の暖房用に使用可能である。電動ファンの消費電力は５ワット前後と少なく、取り出した熱をこたつに使用した場合、こたつの暖房は賄えるので、今まで使用の、こたつの熱源は不要となり大変経済的である。本発明当事者がこたつに使用時、こたつの電気代が１ケ月当たり４．０００円位の節約となり、本発明が普及すれば、地球温暖化防止にも貢献できる。
【図面の簡単な説明】
【図１】本発明に係る自然通気形開放式石油ストーブに、熱取り出し移送装置を装着した図である
【図２】本発明に係る熱取り出し移送装置の図である
【符号の説明】
１自然通気形開放式石油ストーブ
２集熱部
３熱取り入れ
４温度調節弁
５温度調節口
６電動ファン
７熱出口
８熱移送筒
９固定具
【図１】
2004316977.tif 000003
【図２】
2004316977.tif 000004
【手続補正書】
【提出日】平成15年4月22日(2003.4.22)
【手続補正１】
【補正対象書類名】明細書
【補正対象項目名】全文
【補正方法】変更
【補正の内容】
【特許請求の範囲】
【請求項１】自然通気形開放式石油ストーブにおいて、暖房中に熱を取り出すために、集熱部、熱取り入れ口、温度調節弁、温度調節口、電動ファン、熱出口、熱移送筒及び固定具を備え、取出した熱を、こたつや、その他の暖房用に使用可能なことを特徴とする、熱取り出し移送装置。
【発明の詳細な説明】
【０００１】
【発明が属する技術分野】
本発明は家庭内の暖房装置に関する。
【０００２】
【従来の技術】
自然通気形開放式石油ストーブは、家庭の暖房はもとより災害等の停電時でも手軽に使え、また古来より当該ストーブの上方部からの熱を湯沸しなどに利用するなど、大変重宝である。しかし、当該ストーブによる暖房は、天井付近が温かくなるなど居場所によっては室内の全員が一様に温まることは困難であり、こたつや、電気カーペット等の暖房器具との併用がみられる。
【０００３】
【発明が解決しようとする課題】
そこで本発明は、自然通気形開放式石油ストーブにおいて、利点を生かし暖房中に熱を取り出して、こたつや、その他の暖房用に利用することで、その欠点を補うものである。
【０００４】
【課題を解決するための手段】
自然通気形開放式石油ストーブにおいて、暖房中に熱移送筒を使用して、電動ファンの作動により、当該ストーブから取り出した熱を、温度調節弁又は、温度調節口で、温度や熱量を調節して熱出口より取り出し、当該熱を、こたつや、その他の暖房用として提供することで、上記課題を解決するものである。
【０００５】
【発明の実施の形態】
本発明は、熱移送筒８に、集熱部２、熱取り入れ口３、温度調節弁４、温度調節口５、電動ファン６、熱出口７及び固定具９を装着し、自然通気形開放式ストーブ１の暖房中に当該ストーブの上方部から熱を取り出すことで実現した。
【０００６】
【実施例】
本発明の熱取り出し移送装置は、図１、図２に示したように、自然通気形開放式石油ストーブ１の上方部より、暖房中に熱を取り出すために、熱移送筒８として直径１０ｃｍ前後、長さ３ｍ前後で耐熱用の伸縮及び曲折自在の可変体蛇腹状の筒を使用、当該筒を固定具９で固定し、電動ファン６の作動により、集熱部２で集熱した熱を、熱取り入れ口３から取り入れ、温度調節弁４又は、温度調節口５で温度や熱量を調節して、熱出口７よりこたつ内の任意の場所に取り出す。熱源は温風なので、こたつ内全体が温かである。熱出口７の過熱防止のため、電動ファン６は温度制御付きを使用する。
【０００７】
【発明の効果】
本発明は、自然通気形開放式石油ストーブの暖房とあわせて熱の有効利用により、こたつや、その他の暖房用に使用可能である。電動ファンの消費電力は５ワット前後と少なく、取り出した熱をこたつに使用した場合、こたつの暖房は賄えるので、今まで使用の、こたつの熱源は不要となり大変経済的である。本発明当事者がこたつに使用時、こたつの電気代が１ケ月当たり４．０００円位の節約となり、本発明が普及すれば、地球温暖化防止にも貢献できる。
【図面の簡単な説明】
【図１】本発明に係る自然通気形開放式石油ストーブに、熱取り出し移送装置を装着した図である
【図２】本発明に係る熱取り出し移送装置の図である
【符号の説明】
１  自然通気形開放式石油ストーブ
２  集熱部
３  熱取り入れ口
４  温度調節弁
５  温度調節口
６  電動ファン
７  熱出口
８  熱移送筒
９  固定具